(57)【特許請求の範囲】
【請求項１】
給湯メインバーナと、該給湯メインバーナによって加熱される給湯熱交換器と、風呂メインバーナと、該風呂メインバーナによって加熱される風呂追い焚き熱交換器と、前記給湯メインバーナと前記風呂メインバーナに燃料ガスを供給するガス供給通路と、該ガス供給通路に設けられる電磁弁と、前記給湯熱交換器の温度が予め定められた空焚き検出用設定温度を超えたときにオフ信号をアンサー信号として出力する給湯空焚き防止スイッチと、前記風呂追い焚き熱交換器の温度が予め定められた空焚き検出用設定温度を超えたときにオフ信号をアンサー信号として出力する風呂空焚き防止スイッチとを有し、該電磁弁と該電磁弁に電流を流す電源とを接続する通電回路が設けられ、該通電回路の前記電源と前記電磁弁との間には、前記給湯空焚き防止スイッチと、前記風呂空焚き防止スイッチとが直列に設けられて、該風呂空焚き防止スイッチと前記給湯空焚き防止スイッチの少なくとも一方からオフ信号が出力されると前記電磁弁が閉じる構成と成し、前記給湯空焚き防止スイッチと前記風呂空焚き防止スイッチのうち前記電源に近い側に設けられている第一のスイッチのアンサー信号と前記電源から遠い側に設けられている第二のスイッチのアンサー信号をそれぞれ個別の信号伝達経路を介して取り込むアンサー信号受信回路を有し、該アンサー信号受信回路に前記第一のスイッチのアンサー信号を伝える信号伝達経路にはコンデンサと抵抗とにより構成される時定数回路が設けられて前記第一のスイッチからオフ信号が出力される場合と前記第二のスイッチからオフ信号が出力される場合とを前記アンサー信号受信回路が区別する構成と成していることを特徴とする風呂給湯装置。
【請求項２】
通電回路は、アンサー信号受信回路に第一のスイッチのアンサー信号を伝える信号伝達経路に時定数回路が設けられる代わりに抵抗が設けられて形成され、前記アンサー信号受信回路は少なくとも前記第一のスイッチからオフ信号が出力される場合と第二のスイッチからのみオフ信号が出力される場合とを区別する構成と成していることを特徴とする請求項１記載の風呂給湯装置。
【請求項３】
通電回路には、電源と電磁弁との間に、給湯熱交換器の温度ヒューズと風呂追い焚き熱交換器の温度ヒューズとの直列ヒューズ回路が直列に設けられていることを特徴とする請求項１または請求項２記載の風呂給湯装置。
【請求項４】
通電回路における、給湯空焚き防止スイッチと、風呂空焚き防止スイッチと、直列ヒューズ回路のうち、前記風呂空焚き防止スイッチが最も電源に近い側に設けられていることを特徴とする請求項３記載の風呂給湯装置。
【請求項５】
直列ヒューズ回路は、通電回路の第二のスイッチと電磁弁との間に設けられ、また、前記第二のスイッチと前記電磁弁との間には、トランジスタと、抵抗とが介設され、前記直列ヒューズ回路の温度ヒューズの断線信号をアンサー信号受信回路に伝える信号伝達経路が設けられて、該信号伝達経路により、前記温度ヒューズが断線していないときには電源電圧を前記抵抗と前記電磁弁が内蔵する抵抗とで分圧した電圧が伝えられ、前記温度ヒューズが断線したときには電源電圧が伝えられる構成としたことを特徴とする請求項３または請求項４記載の風呂給湯装置。
【請求項６】
給湯メインバーナと、該給湯メインバーナによって加熱される給湯熱交換器と、風呂メインバーナと、該風呂メインバーナによって加熱される風呂追い焚き熱交換器と、前記給湯メインバーナと前記風呂メインバーナに燃料ガスを供給するガス供給通路と、該ガス供給通路に設けられる電磁弁と、前記給湯熱交換器の温度が予め定められた空焚き検出用設定温度を超えたときにオフ信号をアンサー信号として出力する給湯空焚き防止スイッチと、前記風呂追い焚き熱交換器の温度が予め定められた空焚き検出用設定温度を超えたときにオフ信号をアンサー信号として出力する風呂空焚き防止スイッチとを有し、前記電磁弁と該電磁弁に電流を流す電源とを接続する通電回路が形成されて、該通電回路の前記電源と前記電磁弁との間には、前記給湯空焚き防止スイッチと前記風呂空焚き防止スイッチのいずれかの一方側のスイッチが直列に設けられて、該スイッチからオフ信号が出力されると前記電磁弁が閉じる構成と成し、また、前記一方側のスイッチのアンサー信号を第一の信号伝達経路を介して取り込むアンサー信号受信回路が設けられており、さらに、前記給湯空焚き防止スイッチと前記風呂空焚き防止スイッチのうち他方側のスイッチのアンサー信号を第二の信号伝達経路を介して取り込むアンサー信号受信回路が設けられていることを特徴とする風呂給湯装置。
【請求項７】
通電回路には、電源と電磁弁との間に、給湯熱交換器の温度ヒューズと風呂追い焚き熱交換器の温度ヒューズとの直列ヒューズ回路が直列に設けられていることを特徴とする請求項６記載の風呂給湯装置。
【請求項８】
通電回路の電源と電磁弁との間に設けられているスイッチは風呂空焚きスイッチであり、該風呂空焚きスイッチと、給湯熱交換器の温度ヒューズと風呂追い焚き熱交換器の温度ヒューズとの直列ヒューズ回路とが直列に設けられており、該直列ヒューズ回路よりも前記風呂空焚きスイッチが前記電源に近い側に設けられていることを特徴とする請求項６記載の風呂給湯装置。
【請求項９】
風呂空焚き防止スイッチからのオフ信号が予め定められている設定回数以上出力されたときには、風呂メインバーナの燃焼を強制的に行えないようにする燃焼強制禁止手段が設けられていることを特徴とする請求項１乃至請求項８のいずれか一つに記載の風呂給湯装置。
【請求項１０】
給湯メインバーナと風呂メインバーナへの口火点火用のパイロットバーナを有し、風呂空焚き防止スイッチからのオフ信号が予め定められている設定回数以上出力されたときには、風呂メインバーナと給湯メインバーナとパイロットバーナの全ての燃焼を強制的に行えないようにする燃焼強制禁止手段が設けられていることを特徴とする請求項１乃至請求項８のいずれか一つに記載の風呂給湯装置。
【請求項１１】
風呂空焚き防止スイッチがオフ信号を設定回数以上出力した後にオン信号を出力したときには、給湯メインバーナの燃焼を可能とすることを特徴とする請求項１０記載の風呂給湯装置。
【請求項１２】
燃焼強制禁止手段によってバーナの燃焼が強制的に行えないようにするときに、風呂空焚き防止のための燃焼強制禁止であることを報知する報知手段が設けられていることを特徴とする請求項９または請求項１０または請求項１１記載の風呂給湯装置。
【発明の詳細な説明】
【技術分野】
【０００１】
本発明は、ガスの燃焼を行う風呂メインバーナおよび給湯メインバーナと、これらのバーナによって加熱される熱交換器とを備えた風呂給湯装置に関するものである。
【背景技術】
【０００２】
熱交換器の空焚き防止用として、例えば図７に示すように、バーナ７４によって加熱される熱交換器７８に、該熱交換器７８の空焚きを検出するハイリミットスイッチ７１と温度ヒューズ７２を設けた構成が提案されている（例えば、特許文献１、参照。）。同図において、バーナ７４にガスを供給する管路７３には、電磁弁７６，７９が設けられており、熱交換器７８の空焚きが生じたときには、ハイリミットスイッチ７１と温度ヒューズ７２のオフ信号を中央処理装置７５により受信し、中央処理装置７５が弁駆動装置７７を駆動させて、電磁弁７６，７９を閉じるようにすることで、熱交換器７８の空焚きが防止される。
【先行技術文献】
【特許文献】
【０００３】
【特許文献１】特公平４−５１７３３号公報
【発明の概要】
【発明が解決しようとする課題】
【０００４】
しかしながら、図７に示したような装置は、ハイリミットスイッチ７１が熱交換器７８の空焚きを検出したときに、そのオフ信号を中央処理装置により受信し、中央処理装置７５が弁駆動装置７７を駆動させて電磁弁７６，７９を閉じるようにする構成であるため、中央処理装置７５に支障が生じた場合には、ハイリミットスイッチ７１により熱交換器７８の空焚きを検出しても、電磁弁７６，７９が閉じずに、熱交換器７８の空焚きが継続してしまうことになるといった問題があった。
【０００５】
また、風呂給湯装置においては、風呂メインバーナによって加熱される熱交換器と、給湯メインバーナによって加熱される熱交換器とが設けられているが、その場合、各々の熱交換器にハイリミットスイッチを設けた場合、どちらのハイリミットスイッチからオフ信号が出力されたのかを個別に検出できないと、その出力回数に応じて風呂メインバーナの燃焼を強制的に行えないようにするといった対策を施すことができず、風呂側の熱交換器の寿命を短くしてしまうおそれがあった。
【０００６】
本発明は、前記従来の課題を解決するために成されたものであり、その目的は、熱交換器の空焚きが生じた場合に、即座に燃焼を停止することができ、かつ、給湯熱交換器と風呂追い焚き熱交換器の空焚きの回数を個別に検出して対処できる風呂給湯装置を提供することにある。
【課題を解決するための手段】
【０００７】
本発明は上記目的を達成するために、次の構成をもって課題を解決する手段としている。すなわち、第１の発明は、給湯メインバーナと、該給湯メインバーナによって加熱される給湯熱交換器と、風呂メインバーナと、該風呂メインバーナによって加熱される風呂追い焚き熱交換器と、前記給湯メインバーナと前記風呂メインバーナに燃料ガスを供給するガス供給通路と、該ガス供給通路に設けられる電磁弁と、前記給湯熱交換器の温度が予め定められた空焚き検出用設定温度を超えたときにオフ信号をアンサー信号として出力する給湯空焚き防止スイッチと、前記風呂追い焚き熱交換器の温度が予め定められた空焚き検出用設定温度を超えたときにオフ信号をアンサー信号として出力する風呂空焚き防止スイッチとを有し、該電磁弁と該電磁弁に電流を流す電源とを接続する通電回路が設けられ、該通電回路の前記電源と前記電磁弁との間には、前記給湯空焚き防止スイッチと、前記風呂空焚き防止スイッチとが直列に設けられて、該風呂空焚き防止スイッチと前記給湯空焚き防止スイッチの少なくとも一方からオフ信号が出力されると前記電磁弁が閉じる構成と成し、前記給湯空焚き防止スイッチと前記風呂空焚き防止スイッチのうち前記電源に近い側に設けられている第一のスイッチのアンサー信号と前記電源から遠い側に設けられている第二のスイッチのアンサー信号をそれぞれ個別の信号伝達経路を介して取り込むアンサー信号受信回路を有し、該アンサー信号受信回路に前記第一のスイッチのアンサー信号を伝える信号伝達経路にはコンデンサと抵抗とにより構成される時定数回路が設けられて前記第一のスイッチからオフ信号が出力される場合と前記第二のスイッチからオフ信号が出力される場合とを前記アンサー信号受信回路が区別する構成と成して構成をもって課題を解決する手段としている。
【０００８】
また、第２の発明は、前記第１の発明の構成に加え、前記通電回路は、アンサー信号受信回路に第一のスイッチのアンサー信号を伝える信号伝達経路に時定数回路が設けられる代わりに抵抗が設けられて形成され、前記アンサー信号受信回路は少なくとも前記第一のスイッチからオフ信号が出力される場合と第二のスイッチからのみオフ信号が出力される場合とを区別する構成と成していることを特徴とする。
【０００９】
さらに、第３の発明は、前記第１または第２の発明の構成に加え、前記通電回路には、電源と電磁弁との間に、給湯熱交換器の温度ヒューズと風呂追い焚き熱交換器の温度ヒューズとの直列ヒューズ回路が直列に設けられていることを特徴とする。
【００１０】
さらに、第４の発明は、前記第３の発明の構成に加え、前記通電回路における、給湯空焚き防止スイッチと、風呂空焚き防止スイッチと、直列ヒューズ回路のうち、前記風呂空焚き防止スイッチが最も電源に近い側に設けられていることを特徴とする。
【００１１】
さらに、第５の発明は、前記第３または第４の発明の構成に加え、直列ヒューズ回路は、通電回路の第二のスイッチと電磁弁との間に設けられ、また、前記第二のスイッチと前記電磁弁との間には、トランジスタと、抵抗とが介設され、前記直列ヒューズ回路の温度ヒューズの断線信号をアンサー信号受信回路に伝える信号伝達経路が設けられて、該信号伝達経路により、前記温度ヒューズが断線していないときには電源電圧を前記抵抗と前記電磁弁が内蔵する抵抗とで分圧した電圧が伝えられ、前記温度ヒューズが断線したときには電源電圧が伝えられる構成としたことを特徴とする。
【００１２】
さらに、第６の発明は、給湯メインバーナと、該給湯メインバーナによって加熱される給湯熱交換器と、風呂メインバーナと、該風呂メインバーナによって加熱される風呂追い焚き熱交換器と、前記給湯メインバーナと前記風呂メインバーナに燃料ガスを供給するガス供給通路と、該ガス供給通路に設けられる電磁弁と、前記給湯熱交換器の温度が予め定められた空焚き検出用設定温度を超えたときにオフ信号をアンサー信号として出力する給湯空焚き防止スイッチと、前記風呂追い焚き熱交換器の温度が予め定められた空焚き検出用設定温度を超えたときにオフ信号をアンサー信号として出力する風呂空焚き防止スイッチとを有し、前記電磁弁と該電磁弁に電流を流す電源とを接続する通電回路が形成されて、該通電回路の前記電源と前記電磁弁との間には、前記給湯空焚き防止スイッチと前記風呂空焚き防止スイッチのいずれかの一方側のスイッチが直列に設けられて、該スイッチからオフ信号が出力されると前記電磁弁が閉じる構成と成し、また、前記一方側のスイッチのアンサー信号を第一の信号伝達経路を介して取り込むアンサー信号受信回路が設けられており、さらに、前記給湯空焚き防止スイッチと前記風呂空焚き防止スイッチのうち他方側のスイッチのアンサー信号を第二の信号伝達経路を介して取り込むアンサー信号受信回路が設けられている構成をもって課題を解決する手段としている。
【００１３】
さらに、第７の発明は、前記第６の発明の構成に加え、前記通電回路には、電源と電磁弁との間に、給湯熱交換器の温度ヒューズと風呂追い焚き熱交換器の温度ヒューズとの直列ヒューズ回路が直列に設けられている構成をもって課題を解決する手段としている。
【００１４】
さらに、第８の発明は、前記第６の発明の構成に加え、前記通電回路の電源と電磁弁との間に設けられているスイッチは風呂空焚きスイッチであり、該風呂空焚きスイッチと、給湯熱交換器の温度ヒューズと風呂追い焚き熱交換器の温度ヒューズとの直列ヒューズ回路とが直列に設けられており、該直列ヒューズ回路よりも前記風呂空焚きスイッチが前記電源に近い側に設けられていることを特徴とする。
【００１５】
さらに、第９の発明は、前記第１乃至第８のいずれか一つの発明の構成に加え、前記風呂空焚き防止スイッチからのオフ信号が予め定められている設定回数以上出力されたときには、風呂メインバーナの燃焼を強制的に行えないようにする燃焼強制禁止手段が設けられていることを特徴とする。
【００１６】
さらに、第１０の発明は、前記第１乃至第８のいずれか一つの発明の構成に加え、前記給湯メインバーナと風呂メインバーナへの口火点火用のパイロットバーナを有し、風呂空焚き防止スイッチからのオフ信号が予め定められている設定回数以上出力されたときには、風呂メインバーナと給湯メインバーナとパイロットバーナの全ての燃焼を強制的に行えないようにする燃焼強制禁止手段が設けられていることを特徴とする。
【００１７】
さらに、第１１の発明は、前記第１０の発明の構成に加え、前記風呂空焚き防止スイッチがオフ信号を設定回数以上出力した後にオン信号を出力したときには、給湯メインバーナの燃焼を可能とすることを特徴とする。
【００１８】
さらに、第１２の発明は前記第９または第１０または第１１の発明の構成に加え、燃焼強制禁止手段によってバーナの燃焼が強制的に行えないようにするときに、風呂空焚き防止のための燃焼強制禁止であることを報知する報知手段が設けられていることを特徴とする。
【発明の効果】
【００１９】
本発明において、バーナにガスを供給するガス供給通路に設けられた電磁弁と該電磁弁に電流を流す電源とを接続する通電回路の、電源と電磁弁との間に、給湯熱交換器の温度が予め定められた空焚き検出用設定温度を超えたときにオフ信号をアンサー信号として出力する給湯空焚き防止スイッチと、風呂追い焚き熱交換器の温度が予め定められた空焚き検出用設定温度を超えたときにオフ信号をアンサー信号として出力する風呂空焚き防止スイッチとを直列に設けて、風呂空焚き防止スイッチと給湯空焚き防止スイッチの少なくとも一方からオフ信号が出力されたときには前記電磁弁が閉じる構成と成すことにより、給湯熱交換器と風呂追い焚き熱交換器のいずれの空焚きが生じた場合でも、即座に電磁弁を閉じてバーナ燃焼を停止することができ、風呂給湯装置の安全性を非常に高くすることができる。
【００２０】
また、この給湯空焚き防止スイッチと風呂空焚き防止スイッチとを直列に通電回路に設ける構成においては、前記給湯空焚き防止スイッチと前記風呂空焚き防止スイッチのうち前記電源に近い側に設けられている第一のスイッチのアンサー信号と、前記電源から遠い側に設けられている第二のスイッチのアンサー信号を、それぞれ個別の信号伝達経路を介してアンサー信号受信回路により取り込むが、前記第一のスイッチのアンサー信号を伝える信号伝達経路に、コンデンサと抵抗とにより構成される時定数回路を設けることにより、前記第一のスイッチからオフ信号が出力される場合と前記第二のスイッチからオフ信号が出力される場合とを前記アンサー信号受信回路が区別することができる。そのため、給湯熱交換器と風呂追い焚き熱交換器の空焚きの回数およびそのオフ信号の出力タイミングを個別に検出して対処できる。
【００２１】
また、第一のスイッチのアンサー信号を伝える信号伝達経路に、時定数回路を設ける代わりに抵抗を設け、アンサー信号受信回路が、少なくとも前記第一のスイッチからオフ信号が出力される場合と第二のスイッチからのみオフ信号が出力される場合とを区別することにより、給湯熱交換器と風呂追い焚き熱交換器のうち、第二のスイッチが設けられている側の熱交換器のみの空焚きか、第一のスイッチが設けられている側の熱交換器または両方の熱交換器の空焚きかを区別して、その回数を検出し、対処できる。
【００２２】
さらに、通電回路において、電源と電磁弁との間に、給湯熱交換器の温度ヒューズと風呂追い焚き熱交換器の温度ヒューズとの直列ヒューズ回路を直列に設けることにより、給湯熱交換器や風呂追い焚き熱交換器の温度が高温になりすぎると直列ヒューズ回路が開いて（断線して）電源から電磁弁への通電が遮断され、電磁弁が閉じるので、より安全性を高めることができる。そして、給湯空焚き防止スイッチと、風呂空焚き防止スイッチと、直列ヒューズ回路のうち、前記風呂空焚き防止スイッチを最も電源に近い側に設けることにより、風呂空焚き防止スイッチの作動回数（オフ信号出力回数）をアンサー信号受信回路により検出し、把握することができる。
【００２３】
さらに、第二のスイッチと電磁弁との間に、給湯熱交換器の温度ヒューズと風呂追い焚き熱交換器の温度ヒューズとの直列ヒューズ回路と、トランジスタと抵抗とを介設し、温度ヒューズの断線信号をアンサー信号受信回路に伝える信号伝達経路を設けることにより、温度ヒューズの断線も、第一、第二のスイッチからのオフ信号の出力検出とは別に検出することができる。
【００２４】
さらに、本発明において、バーナにガスを供給するガス供給通路に設けられた電磁弁と該電磁弁に電流を流す電源とを接続する通電回路の、電源と電磁弁との間に、給湯熱交換器の温度が予め定められた空焚き検出用設定温度を超えたときにオフ信号をアンサー信号として出力する給湯空焚き防止スイッチと、風呂追い焚き熱交換器の温度が予め定められた空焚き検出用設定温度を超えたときにオフ信号をアンサー信号として出力する風呂空焚き防止スイッチの、いずれか一方のスイッチを設けることにより、該スイッチが設けられている熱交換器が空焚き検出用設定温度を超えたときにオフ信号が出力されて即座に電磁弁が閉じられ、バーナ燃焼を停止することができ、前記熱交換器の空焚きを防止できる。
【００２５】
また、給湯空焚き防止スイッチと風呂空焚き防止スイッチの一方側のスイッチのアンサー信号を第一の信号伝達経路を介して取り込むアンサー信号受信回路と、他方側のスイッチのアンサー信号を第二の信号伝達経路を介して取り込むアンサー信号受信回路を設けることにより、給湯熱交換器と風呂追い焚き熱交換器の空焚きの回数を個別に検出して対処することができる。なお、前記一方側のスイッチのアンサー信号を受信するアンサー信号受信回路と他方側のスイッチと異なるスイッチのアンサー信号を受信するアンサー信号受信回路とは、アンサー信号を個別に検出できれば、同じ回路としてもよいし、別々の回路としてもよい。
【００２６】
さらに、通電回路に給湯空焚き防止スイッチと風呂空焚き防止スイッチの一方側のスイッチを設ける構成においても、電源と電磁弁との間に、給湯熱交換器の温度ヒューズと風呂追い焚き熱交換器の温度ヒューズとの直列ヒューズ回路を直列に設けることにより、給湯熱交換器や風呂追い焚き熱交換器の温度が高温になりすぎると直列ヒューズ回路が開いて電源から電磁弁への通電が遮断され、電磁弁が閉じるので、より安全性を高めることができる。そして、通電回路に風呂空焚き防止スイッチを設けて、風呂空焚き防止スイッチを直列ヒューズ回路よりも電源に近い側に設けることにより、風呂空焚き防止スイッチの作動回数（オフ信号出力回数）をアンサー信号受信回路により検出し、把握することができる。
【００２７】
さらに、前記風呂空焚き防止スイッチからのオフ信号が予め定められている設定回数以上出力されたときに、燃焼強制禁止手段によって、風呂メインバーナの燃焼を強制的に行えないようにしたり、風呂メインバーナと給湯メインバーナとパイロットバーナの全ての燃焼を強制的に行えないようにしたりすることにより、利用者に、風呂追い焚き熱交換器の空焚きを行わないように注意するきっかけを与えることができる。つまり、前記のようにバーナの燃焼が行えなければ、利用者は、その原因を調べることになり、空焚きが多いことを把握して注意するように促すことができ、風呂追い焚き熱交換器の空焚きを繰り返すことにより熱交換器が破損することを防ぐことができる。
【００２８】
また、全てのバーナの燃焼を強制的に行えないようにする構成において、風呂空焚き防止スイッチがオフ信号を設定回数以上出力した後にオン信号を出力したときには、給湯メインバーナの燃焼を可能とすることにより、風呂追い焚き熱交換器の空焚きを繰り返すことにより熱交換器が破損することを防ぐことができることに加え、使い勝手を良好にできる。
【００２９】
さらに、燃焼強制禁止手段によってバーナの燃焼が強制的に行えないようにするときに、風呂空焚き防止のための燃焼強制禁止であることを報知することにより、利用者に、風呂の空焚きが多かったことを知らせ、風呂の空焚きを行わないように注意するよう、促すことができる。
【図面の簡単な説明】
【００３０】
【図１】本発明に係る風呂給湯装置の一実施例に設けられている通電回路の構成を模式的に示す図である。
【図２】図１に示した通電回路により検出されるアンサー信号の例を示すグラフである。
【図３】風呂給湯装置のシステム構成例を模式的に示す説明図である。
【図４】実施例に適用される通電回路の別の例を示す図である。
【図５】図４に示した通電回路により検出されるアンサー信号の例を示すグラフである。
【図６】その他の実施例の風呂給湯装置に設けられている通電回路の構成例を模式的に示す図である。
【図７】従来提案されている空焚き防止構成を説明するための図である。
【発明を実施するための形態】
【００３１】
以下、本発明の実施の形態を図面に基づき説明する。なお、本実施例の説明において、従来例と同一名称部分には同一符号を付し、その重複説明は省略または簡略化する。
【実施例】
【００３２】
本実施例の風呂給湯装置は、図３に示すシステム構成を有しており、また、図１に示す特徴的な制御構成を有している。以下、図３に基づき、本実施例の風呂給湯装置のシステム構成について説明する。この装置は、例えば浴室に配置されるバランス風呂釜と呼ばれている装置である。同図において、風呂の追い焚き用の風呂メインバーナ３９の上部側には、風呂メインバーナ３９によって加熱される風呂追い焚き熱交換器４０が設けられており、風呂追い焚き熱交換器４０には、風呂ハイリミットスイッチ４６が設けられている。また、給湯メインバーナ１０の上部側には、給湯メインバーナ１０により加熱される給湯熱交換器７が設けられており、給湯熱交換器７の出側には給湯ハイリミットスイッチ４７が設けられている。給湯熱交換器７と風呂追い焚き熱交換器４０の上部側には、給湯メインバーナ１０および風呂メインバーナ３９の燃焼ガスの排気口１７が設けられている。
【００３３】
給湯熱交換器７には、該給湯熱交換器７に水を導入する給水導入通路１９と、給湯熱交換器７を通って加熱された水を給湯先に導く給湯通路１１とが接続されている。給湯通路１１の先端側には、給湯栓９が設けられており、この例では、給湯栓９が切り替えレバー方式の栓で形成されている。この種の給湯栓９は、レバーの切り替えによって、給湯通路１１を通った湯を、カラン側の出湯管３０側とシャワー側通路３１のいずれかから選択的に出湯させるものであり、同図では、出湯管３０側から出湯されるように選択した状態が示されている。また、符号５７は逆止弁、５８は熱湯遮断弁をそれぞれ示す。
【００３４】
前記給水導入通路１９には、水量調節機構２１が接続されており、水量調節機構２１には、水ガバナー１５、ダイヤフラムケース１３、水量調節室２０が設けられている。ダイヤフラムケース１３には、ダイヤフラム１４が設けられており、このダイヤフラム１４によって、ダイヤフラムケース１３内が、一次室１３ａと二次室１３ｂとに区分けされている。水量調節室２０には温度調節子２３が設けられており、温度調節子２３は、温度調節つまみ２２に接続されている。
【００３５】
また、水量調節機構２１には、水量調節機構２１に水を供給する給水通路８と、水量調節機構２１から水を導出する通路１６と、排水通路２４とが接続されている。給水通路８にはフィルタ２５が介設され、排水通路２４には水抜き栓２６が設けられている。
【００３６】
前記給湯メインバーナ１０には、ガス通路３２が接続されており、該ガス通路３２は、水圧自動ガス弁３３と、器具栓３４とを介し、ガス導入通路３５に接続されている。水自動ガス弁３３は、前記ダイヤフラム１４に連結して設けられている。器具栓３４は、シャフト５０を介して器具栓つまみ４８に接続されており、器具栓３４の下部側にはガスの電磁弁５４が設けられている。ガス導入通路３５は、燃料ガスを燃焼装置に外部から導入するものであり、ガス導入通路３５から導入される燃料ガスが、器具栓３４を介してガス通路３２を通り、給湯メインバーナ１０に供給される。また、器具栓３４には、ガス通路３６，３７が接続されており、ガス導入通路３５から器具栓３４まで導入された燃料ガスが、ガス通路３６を通して口火用のパイロッバーナ３８に導入され、ガス通路３７を通して風呂メインバーナ３９に供給される構成と成している。
【００３７】
パイロットバーナ３８の炎口の近傍には、パイロットバーナ３８の炎を検出するためのフレームロッド電極１２（１２ａ）が設けられている。また、図３に示すように、給湯メインバーナ１０の炎口の近傍に、給湯メインバーナ１０の炎を検出するための給湯側フレームロッド電極１２（１２ｂ）を設ける構成が提案されている。なお、この提案は、未だ公開になっていない。
【００３８】
前記シャフト５０には器具栓スイッチ５２（５２ａ，５２ｂ，５２ｃ）が介設されており、器具栓スイッチ５２は、マイクロスイッチにより構成されている。器具栓つまみ４８は回動自在と成しており、器具栓つまみ４８を「止」の位置から下に押し下げて「口火」の位置に回す。器具栓つまみ４８と共にシャフト５０が下がって器具栓スイッチ５２ａがオンとなり、また、電磁弁５４が開き、口火点火（パイロットバーナ３８への点火）可能状態となる。つまり、燃料ガスがガス導入通路３５を通って器具栓３４の入口まで流入する。そして、燃料ガスは器具栓３４を通り、パイロットバーナ３８に流れるので、その状態で、燃焼制御部（図示せず）の制御によって、点火装置６０の点火プラグ５９によりパイロットバーナ３８への点火が行われる。また、器具栓つまみ４８を放し（押し下げる力を取り除き）、「口火」の位置から「止」の位置に戻すと、器具栓スイッチ５２ａがオフとなり、消火状態となる。
【００３９】
また、器具栓つまみ４８を「給湯」や「おいだき」の位置に回すと、器具栓スイッチ５２ｂ，５２ｃが器具栓つまみ４８の「給湯」「おいだき」の位置を検出し、例えば表１に示すように、オンオフ動作を行うことにより、パイロットバーナ３８、給湯メインバーナ１０、風呂メインバーナ３９の燃焼が行われる構成と成している。つまり、器具栓スイッチ５２ｂ、５２ｃが共にオンの状態で、給湯メインバーナ１０の燃焼が行われ、器具栓スイッチ５２ｃがオフ、器具栓スイッチ５２ｂがオンの状態で風呂メインバーナ３９の燃焼が行われる。
【００４０】
【表１】
0005597045.tif 000002
【００４１】
なお、図３の図中、符号５１は水自弁スイッチ、４９は能力切り替えつまみ、符号４５は過熱防止装置をそれぞれ示す。
【００４２】
この風呂給湯装置において、給水栓（図示せず）を開くと、水は、給水通路８を通って水ガバナー１５を通り、ダイヤフラムケース１３の一次室１３ａへと流れ、水量調節子２３により分岐して、その一方は、通路１６を通り、給湯通路１１側に導かれる。他方は、給水導入通路１９、給湯熱交換器７を通って給湯通路１１側に導かれ、給湯通路１１から出湯管３０（またはシャワー側通路３１）へ流れて出水される。
【００４３】
さらに、器具栓つまみ４８を「給湯」の位置に合わせることにより、燃料ガスは、水圧自動ガス弁３３の配設位置まで流れる。そして、この状態で給湯栓９を開き、給水通路８を通して水が流れ始めると、この水がダイヤフラムケース１３の一次室１３ａから通路１６を通り、大気開放により得られる低圧力が通路１６によりダイヤフラム二次室１３ｂに伝えられ、一次室１３ａ（高圧）との差圧がダイヤフラム１４の面積により荷重として働き、ダイヤフラム１４が二次室１３ｂ側へと移動する。
【００４４】
この結果、ダイヤフラム１４と連結された水圧自動ガス弁３３が開き、燃料ガスがガス通路３２を通って給湯メインバーナ１０に供給され、パイロットバーナ３８の口火から給湯メインバーナ１０に着火する。つまり、給湯メインバーナ１０は、前記給湯栓９が開かれることにより流れる（燃焼装置に導入される）水の量が予め定められた設定作動流量以上となったときに燃焼を開始する。そして、この給湯メインバーナ１０の燃焼によって、給湯熱交換器７を通る水が加熱され、出湯管３０（またはシャワー側通路３１）から出湯される。
【００４５】
また、図３には示されていないが、風呂追い焚き熱交換器４０は風呂循環通路を介して浴槽に接続されており、その接続部（上部循環口）よりも例えば１０ｃｍ以上高い位置まで湯または水を入れた状態で、器具栓つまみ４８を「おいだき」の位置に合わせることにより、燃料ガスが通路３６を通って風呂メインバーナ３９に供給され、パイロットバーナ３８の口火から風呂メインバーナ３９に着火し、風呂追い焚き熱交換器４０を循環して浴槽内の湯水の加熱が行われる。
【００４６】
次に、図１に示す本実施例の特徴的な制御構成について説明する。本実施例は、同図に示すように、ガスの電磁弁５４と該電磁弁５４に電流を流す電源１とを接続する通電回路３を有しており、この通電回路３の電源１と電磁弁５４との間に、電源１側から順に、トランジスタＱ１、風呂ハイリミットスイッチ４６、給湯ハイリミットスイッチ４７、トランジスタＱ２、直列ヒューズ回路６３を直列に接続して形成されている。
【００４７】
トランジスタＱ１のベース側が抵抗Ｒ１を介してマイクロコンピュータ２に接続され、トランジスタＱ２のベース側が抵抗Ｒ２を介してマイクロコンピュータ２に接続されている。また、トランジスタＱ２のエミッタ側に給湯ハイリミットスイッチ４７が接続され、トランジスタＱ２のコレクタ側に抵抗Ｒｄを介して直列ヒューズ回路６３が接続されている。この直列ヒューズ回路６３は、給湯熱交換器７の温度ヒューズ６１と風呂追い焚き熱交換器４０の温度ヒューズ６２との直列回路から成る。なお、図中、Ｒ４、Ｒ５、Ｒ６はそれぞれ抵抗を示している。
【００４８】
風呂ハイリミットスイッチ４６は、風呂追い焚き熱交換器４０の温度が予め定められた空焚き検出用設定温度を超えたときにオフ信号をアンサー信号として出力する風呂空焚き防止スイッチとして機能し、給湯ハイリミットスイッチ４７は、給湯熱交換器７の温度が予め定められた空焚き検出用設定温度を超えたときにオフ信号をアンサー信号として出力する給湯空焚き防止スイッチとして機能するものである。風呂ハイリミットスイッチ４６は、風呂追い焚き熱交換器４０の温度が予め定められた空焚き検出用設定温度以下のとき（正常時）は、オン信号をアンサー信号として出力し、風呂追い焚き熱交換器４０の温度が前記空焚き検出用設定温度を超えたときには、オフ信号をアンサー信号として出力する。給湯ハイリミットスイッチ４７は、給湯熱交換器７の温度が予め定められた空焚き検出用設定温度以下のとき（正常時）は、オン信号をアンサー信号として出力し、給湯熱交換器７の温度が前記空焚き検出用設定温度を超えたときには、オフ信号をアンサー信号として出力する。
【００４９】
本実施例では、風呂ハイリミットスイッチ４６と給湯ハイリミットスイッチ４７とが直列に設けられており、給湯ハイリミットスイッチ４７と風呂ハイリミットスイッチ４６の少なくとも一方からオフ信号が出力されると電磁弁５４が閉じる構成と成している。したがって、風呂追い焚き熱交換器４０と給湯熱交換器７のいずれかの空焚きが行われた場合には、即座に電磁弁５４への通電が遮断されて電磁弁５４が閉じ、パイロットバーナ３８と風呂メインバーナ４０と給湯メインバーナ１０のバーナ燃焼が停止される。
【００５０】
また、本実施例では、マイクロコンピュータ２に、アンサー信号受信回路５と燃焼強制禁止手段６を設けている。アンサー信号受信回路５は、風呂ハイリミットスイッチ４６と給湯ハイリミットスイッチ４７のうち電源１に近い側に設けられている第一のスイッチ（ここでは風呂ハイリミットスイッチ４６）のアンサー信号と、電源１から遠い側に設けられている第二のスイッチ（ここでは給湯ハイリミットスイッチ４７）のアンサー信号を、それぞれ個別の信号伝達経路Ａ，Ｂを介して取り込む。
【００５１】
信号伝達経路Ａは、第一のスイッチ（風呂ハイリミットスイッチ４６）のアンサー信号をアンサー信号受信回路５に伝える経路であり、この信号伝達経路Ａには、コンデンサＣ１と抵抗Ｒｔとにより構成される時定数回路４が設けられている。信号伝達経路Ｂは、第二のスイッチ（給湯ハイリミットスイッチ４７）のアンサー信号をアンサー信号受信回路５に伝える経路であり、この信号伝達経路Ｂには、抵抗Ｒｂ１、Ｒｂ２が設けられている。本実施例では、このような信号伝達経路Ａ、Ｂを設けて、第一のスイッチ（風呂ハイリミットスイッチ４６）からアンサー信号が出力される場合と第二のスイッチ（給湯ハイリミットスイッチ４７）からアンサー信号が出力される場合とを、アンサー信号受信回路５が区別する構成と成している。
【００５２】
つまり、風呂追い焚き熱交換器４０と給湯熱交換器７が共に空焚きされておらず、風呂ハイリミットスイッチ４６と給湯ハイリミットスイッチ４７の両方が正常な場合は、共にオン信号が出力され、図２（ａ）に示すように、信号伝達経路Ａを通ってアンサー受信回路２に加えられるアンサー信号ａＡと信号伝達経路Ｂを通ってアンサー受信回路２に加えられるアンサー信号ａＢは、いずれもハイレベル（Ｈ）となるが、風呂追い焚き熱交換器４０と給湯熱交換器７の少なくとも一方が空焚きされた場合には、図２（ｂ）〜（ｄ）に示すように、アンサー信号ａＡ，ａＢに違いが生じる。
【００５３】
例えば、風呂追い焚き熱交換器４０の空焚きが行われて、風呂ハイリミットスイッチ４６（第一のスイッチ）のみがオフ信号を出力した（断線した）場合には、図２（ｂ）に示すように、アンサー信号ａＡとアンサー信号ａＢの信号レベルが、風呂ハイリミットスイッチ４６のオフ信号出力タイミングＴｏから、共に時定数を持って、それぞれ傾きθ１、θ２で徐々に低下してローレベル（Ｌ）まで達する。なお、アンサー信号ａＡ、ａＢの低下傾きθ１、θ２の大きさは、コンデンサＣ１、抵抗Ｒｔ、Ｒｂ１、Ｒｂ２の大きさに起因する。また、給湯熱交換器７の空焚きが行われて、給湯ハイリミットスイッチ４７（第二のスイッチ）のみがオフ信号を出力した（断線した）場合には、図２（ｃ）に示すように、アンサー信号ａＡの信号レベルはハイレベルのままとなり、アンサー信号ａＢの信号レベルは、給湯ハイリミットスイッチ４７のオフ信号出力タイミングＴｏで瞬時にローレベル（Ｌ）に下がる。
【００５４】
さらに、風呂追い焚き熱交換器４０と給湯熱交換器７の空焚きが行われて、風呂ハイリミットスイッチ４６と給湯ハイリミットスイッチ４７の両方がオフ信号を出力した（断線した）場合には、図２（ｄ）に示すように、アンサー信号ａＡの信号レベルは風呂ハイリミットスイッチ４６のオフ信号出力タイミングＴｏから時定数を持って、傾きθ４で徐々に低下してローレベル（Ｌ）まで達し、アンサー信号ａＢの信号レベルは、給湯ハイリミットスイッチ４７のオフ信号出力タイミングＴｏで瞬時にローレベル（Ｌ）に下がる。なお、図２（ｂ）のアンサー信号ａＡの信号レベルの低下具合と図２（ｄ）のアンサー信号ａＡの信号レベルの低下具合が異なる（θ１とθ４とが異なる）のは、コンデンサＣ１に蓄えられた電気がマイクロコンピュータ２側と抵抗Ｒｔを経て放電するか、マイクロコンピュータ２側のみの放電かによって決まる。
【００５５】
アンサー信号受信回路５は、これらのアンサー信号ａＡ、ａＢのレベルによって、どちらのハイリミットスイッチ４６，４７からオフ信号が出力されたかということと、例えば風呂ハイリミットスイッチ４６がオフした後、遅れてｔ秒後に給湯ハイリミットスイッチ４７もオフしたようなタイミングさえも知ることができる。なお、風呂ハイリミットスイッチ４６がオフした後、遅れてｔ秒後に給湯ハイリミットスイッチ４７もオフした場合、図２（ｅ）に示すように、アンサー信号ａＡは、傾きθ１でｔ秒後まで低下した後、ｔ秒後以降は、図２（ｄ）に示した傾きθ４で低下してローレベル（Ｌ）まで達する。アンサー信号ａＢは、傾きθ２でｔ秒後まで低下した後、ｔ秒後に瞬時にローレベル（Ｌ）まで達する。そして、アンサー信号受信回路５は、前記アンサー信号ａＡ、ａＢのレベルの違いによって検出した風呂ハイリミットスイッチ４６のオフ信号検出回数を、燃焼強制禁止手段６に加える。
【００５６】
なお、このようなスイッチオフのタイミング等を問題とせず、風呂ハイリミットスイッチ４６がオフした後の給湯ハイリミットスイッチ４７のオン・オフを問題としない場合、すなわち、風呂ハイリミットスイッチ４６がオフした場合は、給湯を使用できないようにしてしまうような場合、つまり、せめて給湯だけでも使用したいという要望がない場合は、図４に示すように、前記コンデンサＣ１を省略した通電回路３を適用でき、この場合のアンサー信号は、図５に示すようになる。なお、図５（ａ）は、風呂ハイリミットスイッチ４６と給湯ハイリミットスイッチ４７の両方が正常な場合を示し、図５（ｂ）は風呂ハイリミットスイッチ４６（第一のスイッチ）のみがオフ信号を出力した（断線した）場合を示し、図５（ｃ）は、給湯ハイリミットスイッチ４７（第二のスイッチ）のみがオフ信号を出力した（断線した）場合を示し、図５（ｄ）は、風呂ハイリミットスイッチ４６と給湯ハイリミットスイッチ４７の両方がオフ信号を出力した（断線した）場合を示す。
【００５７】
また、図１に示すように、通電回路３の第二のスイッチ（給湯ハイリミットスイッチ４７）と電磁弁５４との間には、第二のスイッチから電磁弁５４に向かって順に、トランジスタＱ２と抵抗Ｒｄと直列ヒューズ回路６３が介設されおり、抵抗Ｒｄと直列ヒューズ回路６３との接続部に信号伝達経路Ｃが設けられている。なお、トランジスタＱ２と抵抗Ｒｄと直列ヒューズ回路６３の配設順は限定されるものではなく、適宜設定されるものであり、第二のスイッチ（給湯ハイリミットスイッチ４７）と電磁弁５４との間に配設されていればよく、その配設態様に応じて、信号伝達経路Ｃも形成される。信号伝達経路Ｃは、電圧値をアナログでアンサー信号受信回路５に伝える経路と成しており、図２（ａ）〜（ｅ）のアンサー信号ａＣに示すように、トランジスタＱ２のオン信号とオフ信号をアンサー受信回路２に伝えると共に、温度ヒューズ６１，６２の断線信号をアンサー信号受信回路５に伝える役割を果たす。
【００５８】
つまり、温度ヒューズ６１，６２が断線していないときには、風呂ハイリミットスイッチ４６と給湯ハイリミットスイッチ４７がオン信号を出力しているときに、信号伝達経路Ｃを通って、電源電圧（３Ｖ）を抵抗Ｒｄと電磁弁５４が内蔵する抵抗（電磁弁５４のコイル抵抗）とで分圧した電圧（例えば２．７Ｖ）がアンサー信号受信回路５に伝えられ、温度ヒューズ６１，６２が断線したときには電源電圧がアンサー信号受信回路５に伝えられる構成と成している。この電圧の違いによって、アンサー信号受信回路５が温度ヒューズ６１，６２の断線の有無を把握できるように構成されている。なお、図２（ｂ）に示すように、風呂ハイリミットスイッチ４６のみがオフ信号を出力すると、それに伴ってアンサー信号ａＣも時定数を持って（傾きθ３で）低下し、図２（ｃ）、（ｄ）に示すように、給湯ハイリミットスイッチ４７がオフ信号を出力すると、それに伴い、アンサー信号ａＣも瞬時に低下する。また、風呂ハイリミットスイッチ４６がオフした後、遅れてｔ秒後に給湯ハイリミットスイッチ４７もオフした場合には、図２（ｅ）に示すように、アンサー信号ａＣは、傾きθ３でｔ秒後まで低下した後、ｔ秒後に瞬時にローレベル（Ｌ）まで達する。
【００５９】
燃焼強制禁止手段６は、風呂ハイリミットスイッチ４６からのオフ信号が予め定められている設定回数（例えば５回）以上出力されたときには、器具栓スイッチ５２ｃがオフ、器具栓スイッチ５２ｂがオンの状態となったときに（器具栓つまみ４８が「おいだき」の位置のときに）電磁弁５４を閉じて、風呂メインバーナ３９の燃焼を強制的に行えないようにする。また、この燃焼強制停止時には、燃焼強制停止信号を報知手段７０に加える。
【００６０】
報知手段７０は、燃焼強制禁止手段６によってバーナの燃焼が強制的に行えないようにするときに、風呂空焚き防止のための燃焼強制禁止であることを、例えば、図３に示す操作基板７１の赤のＬＥＤ７２の点滅などによって報知する。なお、この報知の仕方は特に限定されるものでなく、適宜設定されるものである。
【００６１】
なお、風呂ハイリミットスイッチ４６と給湯ハイリミットスイッチ４７は、自動復帰タイプと手動復帰タイプのものがあるが、本実施例に適用されている風呂ハイリミットスイッチ４６と給湯ハイリミットスイッチ４７はいずれも自動復帰タイプのスイッチである。つまり、風呂ハイリミットスイッチ４６は、風呂追い焚き用熱交換器４０の温度が空焚き温度以下に低下すると自動的に復帰してオン信号を出力し、給湯ハイリミットスイッチ４７は、給湯熱交換器７の温度が空焚き温度以下に低下すると自動的に復帰してオン信号を出力する。
【００６２】
なお、本発明は、前記実施例に限定されるものでなく、適宜設定されるものである。例えば、前記実施例では、通電回路３において、風呂ハイリミットスイッチ４６を電源１に近い側に設けて第一のスイッチとし、給湯ハイリミットスイッチ４７を電源１から遠い側に設けて第二のスイッチとしたが、その逆に、給湯ハイリミットスイッチ４７を電源１に近い側に設けて第一のスイッチとし、風呂ハイリミットスイッチ４６を電源１から遠い側に設けて第二のスイッチとしてもよい。
【００６３】
また、通電回路３において、抵抗Ｒｄは省略することもできる。ただし、抵抗Ｒｄを設けることにより、温度ヒューズ６１，６２の断線を風呂配リミットスイッチ４や給湯ハイリミットスイッチ４７のオフ信号出力とは別に検出することができるので、抵抗Ｒｄを設けることが好ましい。
【００６４】
さらに、例えば図６に示すように、電源１（１ａ）から給湯ハイリミットスイッチ４７を介して電磁弁５４に電流を流す通電回路３（３ａ）と、電源１（１ｂ）から風呂ハイリミットスイッチ４６に電流を流す通電回路３（３ｂ）とを別々に形成し、それぞれをマイクロコンピュータ２に接続する構成を風呂給湯装置に設けてもよい。なお、図６において、図１と同様の構成要素には同一符号を付している。
【００６５】
この例において、通電回路３ａは、電源１ａと電磁弁５４との間に、電源１ａ側から順に、トランジスタＱ１、給湯ハイリミットスイッチ４７、トランジスタＱ２、直列ヒューズ回路６３を直列に接続して形成されており、トランジスタＱ１のベース側が抵抗Ｒ１を介してマイクロコンピュータ２に接続され、トランジスタＱ２のベース側が抵抗Ｒ２を介してマイクロコンピュータ２に接続されている。また、トランジスタＱ２のエミッタ側に給湯ハイリミットスイッチ４７が接続され、トランジスタＱ２のコレクタ側に、前記実施例と同様に、直列ヒューズ回路６３が接続されている。
【００６６】
給湯ハイリミットスイッチ４７は、前記給湯熱交換器７の温度が予め定められた空焚き検出用設定温度以下のとき（正常時）は、オン信号をアンサー信号として出力し、給湯熱交換器７の温度が前記空焚き検出用設定温度を超えたときには、オフ信号をアンサー信号として出力する。通電回路３ａにおいて、給湯ハイリミットスイッチ４７のオフ信号が出力されると、電磁弁５４への通電が遮断され、電磁弁５４が閉じ、給湯メインバーナ１０の燃焼が停止する構成と成している。また、前記アンサー信号は、信号伝達経路Ｅ（第一の信号伝達経路）を通ってマイクロコンピュータ２のアンサー信号受信回路５（５ａ）に伝えられる。トランジスタＱ２のオン信号とオフ信号は、アンサー信号として、抵抗Ｒ３が介設された信号伝達経路Ｆを通ってマイクロコンピュータ２に伝えられる。
【００６７】
一方、通電回路３ｂは、電源１ｂに、抵抗Ｒ８と風呂ハイリミットスイッチ４６とを直列に接続しており、その接続部に、抵抗Ｒ７が介設された信号伝達経路Ｇ（第二の信号伝達経路）を接続している。風呂ハイリミットスイッチ４６は、前記風呂追い焚き熱交換器４０の温度が予め定められた空焚き検出用設定温度以下のとき（正常時）は、オン信号をアンサー信号として出力し、風呂追い焚き熱交換器４０の温度が前記空焚き検出用設定温度を超えたときには、オフ信号をアンサー信号として出力する。これらのアンサー信号は、信号伝達経路Ｇを通ってマイクロコンピュータ２のアンサー信号受信回路５（５ｂ）に伝えられる。マイクロコンピュータ２は、風呂ハイリミットスイッチ４６のオフ信号が伝えられたときには、トランジスタＱ１，Ｑ２をオフし、電磁弁５４への通電を遮断して電磁弁５４を閉じ、風呂メインバーナ３９の燃焼を停止する。
【００６８】
マイクロコンピュータ２のアンサー信号受信回路５（５ａ，５ｂ）は、給湯ハイリミットスイッチ４７と風呂ハイリミットスイッチ４６のオフ信号の出力回数をそれぞれ検出し、風呂ハイリミットスイッチ４６のオフ信号の出力回数が設定回数を超えたときには、例えば前記実施例と同様に、燃焼強制禁止手段６に信号を加え、風呂メインバーナ３９の燃焼を強制的に行えないようにするといった安全動作を行うようにすればよい。
【００６９】
なお、図６に示す構成の、風呂ハイリミットスイッチ４６と給湯ハイリミットスイッチ４７を入れ替えた構成を風呂給湯装置に適用することもできる。この場合、風呂ハイリミットスイッチ４６がオフ信号を出力すると、電磁弁５４への通電が遮断され、電磁弁５４が閉じ、風呂メインバーナ３９の燃焼が停止することになる。また、マイクロコンピュータ２は、給湯ハイリミットスイッチ４７のオフ信号が伝えられたときに、トランジスタＱ１，Ｑ２をオフし、電磁弁５４への通電を遮断して電磁弁５４を閉じ、給湯メインバーナ７の燃焼を停止するようにしてもよい。
【００７０】
なお、図６に示す例のように、給湯ハイリミットスイッチ４７と風呂ハイリミットスイッチ４６の一方のみを電磁弁５４と直接する構成においては、マイクロコンピュータ２に支障が生じた場合には、電磁弁５４と直接接続されていない側のスイッチがオフ信号を出力しても、電磁弁５４が閉じずに、風呂追い焚き熱交換器４０の空焚きが継続してしまうことになるため、前記実施例のように、電源１と電磁弁５４との間に、風呂ハイリミットスイッチ４６と給湯ハイリミットスイッチ４７を直列に接続して設けることが好ましい。
【００７１】
さらに、本発明の風呂給湯装置のシステム構成は、必ずしも図３に示した構成とは限らず、給湯メインバーナ１０と、給湯熱交換器７と、風呂メインバーナ３９と、風呂追い焚き熱交換器４０と、バーナへの燃料ガスの供給通路と、電磁弁５４とを有して、例えば図１、図６に示したような通電回路３を有していればよい。
【００７２】
さらに、前記実施例では、燃焼強制禁止手段６は、風呂ハイリミットスイッチ４６からのオフ信号が予め定められている設定回数以上出力されたときに、風呂メインバーナ３９の燃焼を強制的に行えないようにしたが、燃焼強制禁止手段６は、風呂ハイリミットスイッチ４６からのオフ信号が予め定められている設定回数以上出力されたときに、電磁弁５４を閉じて、風呂メインバーナ３９と給湯メインバーナ１０とパイロットバーナ３８の全ての燃焼を強制的に行えないようにするようにしてもよい。また、このように、給湯メインバーナ１０の燃焼を強制的に行えないようにした場合、風呂ハイリミットスイッチ４６がオフ信号を設定回数以上出力した後に、風呂ハイリミットスイッチ４６がオン信号を出力したときには、給湯メインバーナ１０の燃焼を可能にするようにしてもよい。
【産業上の利用可能性】
【００７３】
本発明は、空焚き防止スイッチを設けた熱交換器に空焚きが生じた場合に即座に燃焼を停止することができ、かつ、給湯熱交換器と風呂追い焚き熱交換器の空焚きの回数を個別に検出して対処できるので、安全で寿命の長い風呂給湯装置として利用できる。
【符号の説明】
【００７４】
１      電源
２      マイクロコンピュータ
３      通電回路
４      時定数回路
５      アンサー信号受信回路
６      燃焼強制禁止手段
７      給湯熱交換器
１０    給湯メインバーナ
３８    パイロットバーナ
３９    風呂メインバーナ
４０    風呂追い焚き熱交換器
７０    報知手段
【図１】
0005597045.tif 000003
【図２】
0005597045.tif 000004
【図３】
0005597045.tif 000005
【図４】
0005597045.tif 000006
【図５】
0005597045.tif 000007
【図６】
0005597045.tif 000008
【図７】
0005597045.tif 000009